(57)【特許請求の範囲】
【請求項１】
表面に文字が印刷された表示部を有する文字板と、前記文字板の背後に間隔をおいて配置された背景板とを備えた表示装置であって、前記背景板には、前記表示部の文字が投影される位置に、前記文字板の裏面に向かって突出する突縁部を形成し、該突縁部よりも外周側と該突縁部よりも内周側の少なくとも一方向に向かうにつれて低くなるように傾斜した傾斜部を設けたことを特徴とする表示装置。
【請求項２】
表面に文字が印刷された表示部を有する文字板と、前記文字板の背後に間隔をおいて配置された背景板とを備えた表示装置であって、前記背景板には、前記表示部の文字が投影される位置に、該背景板の外周側と内周側の少なくとも一方向に向かうにつれて低くなるように傾斜した傾斜部を設け、前記傾斜部の表面は、波形状を形成していることを特徴とする表示装置。
【請求項３】
表面に文字が印刷された表示部を有する文字板と、前記文字板の背後に間隔をおいて配置された背景板とを備えた表示装置であって、前記背景板には、前記表示部の文字が投影される位置に、該背景板の外周側と内周側の少なくとも一方向に向かうにつれて低くなるように傾斜した傾斜部を設け、前記文字板には、前記表示部の反対側にシボを設けたことを特徴とする表示装置。
【請求項４】
前記傾斜部の表面は、波形状を形成していることを特徴とする請求用１または請求項３に記載の表示装置。
【請求項５】
前記文字板には、前記表示部の反対側にシボを設けたことを特徴とする請求用１または請求項２に記載の表示装置。
【発明の詳細な説明】
【技術分野】
【０００１】
この発明は表示装置に係り、特に、外光に対する表示部の文字の視認性改善を図った表示装置に関する。
【背景技術】
【０００２】
車両の走行速度やエンジン回転数、燃料量などを表示する表示装置には、表面に文字が印刷された表示部を有する文字板としてアクリル製の導光体を用い、文字板の背後に間隔をおいて背景板を配置し、速度表示の文字などを宙に浮いたように見せ、奥行感のある表示装置が多々出てきている。
このような表示装置には、特許文献１に、背面に意匠部を備えた導光体の前面に目盛りを設け、導光体の板面方向に対して垂直方向から光りを照射するように光源を配置し、光源からの光を導光体内に取り込み意匠部および目盛りを照射し、さらに、光を導光体にて反射させて導光体の背面に配置した意匠板を照明することで、奥行きのある立体的な表示を可能とした表示装置が開示されている。
【先行技術文献】
【特許文献】
【０００３】
【特許文献１】特開２００５−３７３６４号公報
【発明の開示】
【発明が解決しようとする課題】
【０００４】
ところで、文字などを宙に浮いたような見せ方を実現させるには、表示判読の懸念となる背景板に映りこむ影の対策が必須となる。
これに対して、前記特許文献１に開示される表示装置の構造では、導光体背面の意匠板が暗いことから、光源を常時発光させることが必要条件となっている。これは、光源を常時発光させて意匠板を照射しないと、太陽光（外光）が表示装置を射す昼間の、特に夕暮れの太陽が低く光が強い時に速度表示の文字が影となって意匠板に投影され、この影によって文字の判読が困難となり、計器としての機能は果たせなくなるからである。
【０００５】
この発明は、文字を宙に浮いたように表示する表示装置において、光源の常時発光を必要とすること無く、外光により背面板に投影される文字の影をぼかし、視認性を改善することを目的とする。
【課題を解決するための手段】
【０００６】
この発明は、表面に文字が印刷された表示部を有する文字板と、文字板の背後に間隔をおいて配置された背景板とを備えた表示装置であって、背景板には、表示部の文字が投影される位置に、文字板の裏面に向かって突出する突縁部を形成し、該突縁部よりも外周側と該突縁部よりも内周側の少なくとも一方向に向かうにつれて低くなるように傾斜した傾斜部を設けたことを特徴とする。
【発明の効果】
【０００７】
この発明は、外光により背景板に投影される文字の影を傾斜部によってぼかすので、文字の視認性を改善することができる。
【図面の簡単な説明】
【０００８】
【図１】図１は表示装置の正面図である。（実施例）
【図２】図２は図１のＩＩ−ＩＩ線による断面図である。（実施例）
【図３】図３は図２のＩＩＩ部位の拡大断面図である。（実施例）
【図４】図４は背景板に外光が略垂直方向から照射された場合の表示装置の部分断面図である。（実施例）
【図５】図５は図４において背景板に投影された文字の影を示す図である。（実施例）
【図６】図６は背景板に外光が右斜め方向から照射された場合の表示装置の部分断面図である。（実施例）
【図７】図７は背景板に外光が左斜め方向から照射された場合の表示装置の部分断面図である。（実施例）
【発明を実施するための形態】
【０００９】
以下、図面に基づいて、この発明の実施例を説明する。
【実施例】
【００１０】
図１〜図７は、この発明の実施例を示すものである。図１・図２において、車両の走行速度などを表示する表示装置１は、ハウジング２の開口３内に筒状のケース４を配置し、ケース４の前面側を透明なカバー５により覆っている。ケース４内には、見返し６により囲まれた透明な文字板７を配置している。文字板７は、表面に速度表示の文字８が印刷された表示部９を有する。表示部９は、文字板７の中央から突出された後述する指針軸１２を中心に円弧状に配置される。
文字板７の背後には、間隔をおいて背景板１０が配置される。背景板１０は、ケース４の後面側を覆っている。背景板１０は、背後に速度計器１１を取り付けている。速度計器１１は、文字板７の中央を表面側に突出する指針軸１２を備えている。指針軸１２の先端には、文字板７の表示部９の文字８を指し示す指針１３が取り付けられている。速度計器１１は、車両の速度に応じて速度軸１２を回転させることで、指針１３により円弧状に配置した速度表示の文字８を指し示し、速度を表示する。
【００１１】
図３に示すように、文字板７には、表示部９と反対側の裏面にシボ１４を設けている。シボ１４は、細かい縞形状あるいは突起形状の凹凸模様に形成される。文字板７の背後に配置される背景板１０には、表示部９の文字８が投影される位置に、該背景板１０の外周側と内周側の少なくとも一方向に向かうにつれて低くなるように傾斜した傾斜部１５を設けている。
この実施例の背景板１０は、円弧状に配置された表示部９が投影される位置の内周縁部分に、文字板７の裏面に向かって突出する突縁部１６を円弧状に形成している。背景板１０は、突縁部１６を挟んで外周側に外周側傾斜部１５ａを設け、内周側に内周側傾斜部１５ｂを設けている。
外周側傾斜部１５ａは、表示部９が投影される位置に設けられ、突縁部１６から外周側の方向に向かうにつれて、文字板７から離れて低くなるように傾斜している。外周側傾斜部１５ａの表面は、波形状１７を形成している。内周側傾斜部１５ｂは、表示部９が投影される位置よりも内周側に設けられ、突縁部１６から内周側の方向に向かうにつれて、文字板７から離れて低くなるように傾斜している。内周側傾斜部１５ｂの表面は、凹曲面形状１８を形成している。また、内周側傾斜部１５ｂの表面には、表示部９の速度表示の文字８と対応する位置に、速度表示の目盛り１９を円弧状に配置している。
【００１２】
次に作用を説明する。
表示装置１は、表面に文字８が印刷された表示部９を有する透明な文字板７の背後に、間隔をおいて背景板１０を配置している。これにより、表示装置１は、光源の常時発光を必要とすること無く、速度表示の文字を宙に浮いたように見せ、奥行感のある見せ方を実現することができる。
この表示装置１は、図４に示すように、背景板１０に外光（太陽光）Ｐが略垂直方向から照射された場合、表示部９の文字８の周囲を透過した外光を、文字板７の裏面のシボ１４で弱めて影Ｓを薄くする。そして、薄くなった影Ｓは、図５に示すように、外周側傾斜部１５ａの表面の波形状１７に投影されて変形される。
これにより、表示装置１は、影Ｓの濃さを薄め、且つ光と影Ｓの境目を不明瞭にすることができ、背景板１０に投影される文字８の影Ｓをぼかすことができる。
また、表示装置１は、図６に示すように、背景板１０に外光Ｐが右斜め方向から照射された場合、表示部９の文字８の周囲を透過した外光を、文字板７の裏面のシボ１４で弱めて影Ｓを薄くする。そして、薄くなった影Ｓは、内周側傾斜部１５ｂの表面の凹曲面形状１８の陰に投影されるので目立たなくなる。
さらに、表示装置１は、図７に示すように、背景板１０に外光Ｐが左斜め方向から照射された場合、表示部９の文字８の周囲を透過した外光を、文字板７の裏面のシボ１４で弱めて影Ｓを薄くする。そして、薄くなった影Ｓは、外周側傾斜部１５ａの表面の波形状１７に交差するように投影されるので映り難くなる。
【００１３】
このように、表示装置１は、外光により背景板１０に投影される文字８の影Ｓを傾斜部１５によりぼかすので、文字板７の文字８の視認性を改善することができる。
また、表示装置１は、外光により背景板１０に投影される文字８の影Ｓを外周側傾斜部１５ａの波形状１７により変形してぼかすので、文字８の視認性を改善することができる。
さらに、表示装置１は、文字板７の表示部９の周囲を透過した外光を裏面のシボ１４により弱めて文字８の影Ｓを薄くし、薄くなって背景板１０に投影される文字８の影Ｓを傾斜部１５によりぼかすので、文字８の視認性を改善することができる。
【産業上の利用可能性】
【００１４】
この発明は、外光により背面板に投影される文字の影をぼかし、視認性を改善することができるものであり、文字を宙に浮いたように表示する表示装置において利用することが可能である。
【符号の説明】
【００１５】
１  表示装置
３  開口
２  ハウジング
４  ケース
５  カバー
６  見返し
７  文字板
８  文字
９  表示部
１０  背景板
１１  速度計器
１２  速度軸
１３  指針
１４  シボ
１５ａ  外周側傾斜部
１５ｂ  内周側傾斜部
１６  突縁部
１７  波形状
１８  凹曲面形状
１９  目盛り
【図１】
0006519290.tif 000002
【図２】
0006519290.tif 000003
【図３】
0006519290.tif 000004
【図４】
0006519290.tif 000005
【図５】
0006519290.tif 000006
【図６】
0006519290.tif 000007
【図７】
0006519290.tif 000008